(57)【要約】  ディジタルカメラ（１）は、映像センサ部（１２）と、映像センサ部（１２）で撮像された画像を表示する表示部（１５）と、映像センサ部（１２）によりステレオ画像又はパノラマ画像を取得する際に、前記表示部に撮像ガイドを表示する撮影ガイド生成部（１８）と、を有する。撮影ガイド生成部（１８）は、表示部（１５）の略中央部の定点を表示する照準マーク（２３）と、映像センサ部（１２）により撮影される画像内の定位置であって、画面上のディジタルカメラ（１）の移動方向に、ステレオ画像又はパノラマ画像に必要な長さを有するガイドマーク（２２）とを、撮影ガイドとして表示部（１５）に表示する。これにより、撮像装置でパノラマ撮影等をする際に撮像装置を安定に移動することができる撮像装置、撮像装置の撮影ガイド表示方法及び非一時的なコンピュータ可読媒体を提供することができる。
2012132204.tif 000002
【特許請求の範囲】
【請求項１】
撮像手段と、
前記撮像手段で撮像された画像を表示する表示手段と、
前記撮像手段によりステレオ画像又はパノラマ画像を取得する際に、前記表示手段に撮像ガイドを表示する撮影ガイド生成手段と、を有し、
前記撮影ガイド生成手段は、前記表示手段の略中央部の定点を表示する照準マークと、前記撮影手段により撮影される画像内の定位置であって、画面上の撮像装置の移動方向に、前記ステレオ画像又はパノラマ画像に必要な長さを有するガイドマークとを、前記撮影ガイドとして前記表示手段に表示する、撮像装置。
【請求項２】
前記ガイドマークは、前記ガイドマークに対して直交する方向に長さを有するサブガイドマークを有する、請求項１記載の撮像装置。
【請求項３】
前記サブガイドマークは、前記ガイドマークの両端部にあり、合わせてＨ字型形状を有する、請求項２記載の撮像装置。
【請求項４】
前記ガイドマークは、前記ステレオ画像又はパノラマ画像に必要な長さの複数本のラインからなる、請求項１記載の撮像装置。
【請求項５】
撮像手段によりステレオ画像又はパノラマ画像を取得する際に、撮像された画像を表示する表示手段に撮像ガイドを表示する撮像装置の撮影ガイド表示方法であって、
前記表示手段の略中央部の定点を表示する照準マークと、前記撮影手段により撮影される画像内の定位置であって、画面上の撮像装置の移動方向に、前記ステレオ画像又はパノラマ画像に必要な長さを有するガイドマークとを、前記撮影ガイドとして前記表示手段に表示する、撮像装置の撮影ガイド表示方法。
【請求項６】
前記ガイドマークは、撮影開始地点から水平方向左側に画面を移動させて撮影する場合はその左側端部が、水平方向右側に画面を移動させて撮影する場合はその右側端部が当該撮影開始地点では画面上に表示されず、移動完了後の画面上に表示される、請求項５記載の撮像装置の撮影ガイド表示方法。
【請求項７】
ユーザが前記撮影ガイドを使用中にその使用方法に対する補助情報を表示又は音声で通知する、請求項５又は６記載の撮像装置の撮影ガイド表示方法。
【請求項８】
補助情報として撮影中の中間データの保存量を表示又は通知する、請求項５又は６記載の撮像装置の撮影ガイド表示方法。
【請求項９】
前記撮影ガイドの形状及び／又は色を撮影開始後乃至撮影終了の間に変更することで、当該撮影ガイドの使用方法及び／又は撮影中の中間データの保存量に関する補助情報をユーザに通知する、請求項５又は６記載の撮像装置の撮影ガイド表示方法。
【請求項１０】
撮像手段によりステレオ画像又はパノラマ画像を取得する際に、撮像された画像を表示する表示手段に撮像ガイドを表示する処理をコンピュータに実行させるためのプログラムが格納された非一時的なコンピュータ可読媒体であって、
前記表示手段の略中央部の定点を表示する照準マークと、前記撮影手段により撮影される画像内の定位置であって、画面上の撮像装置の移動方向に、前記ステレオ画像又はパノラマ画像に必要な長さを有するガイドマークとを、前記撮影ガイドとして前記表示手段に表示する処理をコンピュータに実行させるプログラムが格納された非一時的なコンピュータ可読媒体。
【発明の詳細な説明】
【技術分野】
【０００１】
本発明は、ディジタルカメラ等のカメラ機能を有する撮像装置、撮像装置の撮影ガイド表示方法及び非一時的なコンピュータ可読媒体に関し、特に、ユーザの操作性の向上を図った撮像装置、撮像装置の撮影ガイド表示方法及び非一時的なコンピュータ可読媒体に関する。
【背景技術】
【０００２】
従来のディジタルカメラ等の撮像装置において、パノラマ写真や３Ｄ（ステレオ）写真を撮影する場合、被撮影物（被写体）に対してカメラ自身を横にスライドして撮影する手法がある。この撮影手法を採る場合、スライド中に自動あるいは手動により、通常数枚の写真を撮影する。パノラマ写真の場合は、スライド方向へそれら撮影写真をつなぎ合わせる、又は３Ｄ（ステレオ）写真の場合は、適当な２枚を抽出もしくはそれら撮影写真を元に生成する、ことで所望の写真を得ることが一般的である。なお、これら生成方法については、既存記述であるため、詳細は省略する。【０００３】
このような撮影について説明する。図７Ａ〜Ｅは、従来の撮像装置におけるパノラマ撮影例を示す図である。図７Ａに示すように、カメラを横方向にスライドする際に、数回の撮影を行い、それらで撮影された画像７１乃至７４をつなぎ合わせて、図７Ｂに示すような１枚のパノラマ写真を生成する。また、図７Ｃに示すように、同様にスライドする際に数回の撮影を行い、画像７５乃至８０を撮影する。そして、図７Ｄ及び図７Ｅに示すように、それらの画像７５乃至８０の情報を元に視差のついた２枚の写真を生成することで、３Ｄ（ステレオ）写真を作成する場合もある。【０００４】
いずれの撮影においても、数回の撮影で得た写真を元に四角形の写真を生成するため、それぞれの撮影回で相関性のある部分を検出して写真合成時ののり代とする必要がある。しかしながら、カメラを横にスライドしながらの撮影となるので、その際に被写体に対しての上下方向や回転方向へカメラがブレる可能性があり、そのブレが大きいほど、各撮影回の写真間での相関性が低くなり、すなわち、のり代部分が少なくなり、結果として得られる写真の品質及びサイズに影響が出る。【０００５】
このブレによる影響の例について説明する。図８Ａ〜Ｄは、カメラぶれを説明するための図である。図８では、パノラマ撮影を例にとって説明する。図８に示すように、本例では、４回の撮影から１枚のパノラマ写真を得る例を示している。図８Ａではブレが少ない撮影を示しており、図８Ｃではブレが大きい例を示している。図８Ａに示す撮影では、画像８１乃至８４は、被写体に対する上下方向のブレが少ないため、各撮影回の相関が大きく、結果として図８Ｂに示すように、上下方向（画面垂直方向）のサイズが大きく保たれたパノラマ写真の抽出が可能となる。【０００６】
一方、図８Ｃに示す撮影では、画像８５乃至８８は、被写体に対する上下方向のブレが大きいため、各撮影回の相関が低くなってしまい、図８Ｄに示すように、上下方向（画面垂直方向）のサイズが小さいパノラマ写真の抽出しかできず、図８Ｂに比べると情報量が少なくなってしまっており、撮影品質の低下しているのがわかる。【０００７】
図８Ａ〜Ｄでは、パノラマ撮影を例にしているが、横方向にカメラをスライドさせて撮影する３Ｄ（ステレオ）撮影でも、同様に数回行う撮影で得た写真の相関性が、最終的に得られる目的の写真の品質に大きく関わってくる。【０００８】
そこで、従来の撮像装置においては、撮影時にユーザのガイドとなる撮影ガイドを表示するものがある。例えば特許文献１においては、カメラをスライドしつつ何枚か写真を撮り、それぞれをつなぎ合わせることでパノラマ写真を得るための手法が示されている。また、あわせて画面に垂直方向のガイド用の線を、前回撮影画像との合成ポイントの目安として描画する機能も提唱されている。また、特許文献２においても類似技術が公開されている。しかしながら、これらの手法では、先に撮影した写真とこれらから撮影する写真の位置のズレ防止は、被写体形状の比較を撮影者に強いており、被写体によってはうまくズレないように撮影することが難しい場合があるという問題点がある。【０００９】
また、特許文献３においては、１枚目の撮影処理の後、動き検出部が行う動き検出処理の結果決定される画像移動量に従って移動する移動マークとしてのポインタと、このポインタの移動目標位置を示す移動目標マークとしてのターゲットとを表示する。具体的には、部分画像の所定範囲が重複するように次の撮影位置を定める。そして、この次の撮影位置に従ってポインタおよびポインタの移動目標位置（ターゲットの位置）を設定し、ポインタとターゲットとをライブビュー画像上に配置することによって、ポインタをターゲット上に移動させるようなパンニング操作を促す技術が開示されている。【００１０】
さらに、特許文献４においては、被写体に対するカメラの相対位置を示す移動マークと移動マークが移動して到達すべき目標位置を示すゴールマークとからなる一対のガイドマークを表示する技術が開示されている。そして、ガイドマークのうちターゲットマークＴｍは、使用者がカメラを動かした際に、その移動に伴って表示部のモニタ画像上を移動する指標であり移動マークであって、被写体に対するカメラ１の相対位置を示すものであり、ゴールマークＧｍは、使用者がカメラを移動させることによってターゲットマークＴｍ（移動マーク）が表示部のモニタ画像上で移動させて到達させるべき目標位置であってパノラマ撮影の適切位置を示すものであり、これらを表示することでユーザのガイドとしている。
【先行技術文献】
【特許文献】
【００１１】
【特許文献１】特開２００５−２２３９０５号公報
【特許文献２】特開２００４−３０４８０１号公報
【特許文献３】特開２００９−２７８４３２号公報
【特許文献４】特開２００９−６０２７８号公報
【発明の概要】
【発明が解決しようとする課題】
【００１２】
しかしながら、特許文献３及び４に記載の撮影ガイドは、いずれも画面上、点で示されるものであるため、ユーザがその点を目標ガイドとしてカメラを操作しなければならず、撮影ガイドまでの距離が長い場合などは、カメラの移動を制御するのが難しいという問題点がある。【００１３】
本発明は、このような問題点を解決するためになされたものであり、撮像装置でパノラマ撮影等をする際に撮像装置を安定に移動することができる撮像装置、撮像装置の撮影ガイド表示方法及び非一時的なコンピュータ可読媒体を提供することを目的とする。
【課題を解決するための手段】
【００１４】
本発明に係る撮像装置は、撮像手段と、前記撮像手段で撮像された画像を表示する表示手段と、前記撮像手段によりステレオ画像又はパノラマ画像を取得する際に、前記表示手段に撮像ガイドを表示する撮影ガイド生成手段と、を有し、前記撮影ガイド生成手段は、前記表示手段の略中央部の定点を表示する照準マークと、前記撮影手段により撮影される画像内の定位置であって、画面上の撮像装置の移動方向に、前記ステレオ画像又はパノラマ画像に必要な長さを有するガイドマークとを、前記撮影ガイドとして前記表示手段に表示するものである。【００１５】
本発明に係る撮像装置の撮影ガイド表示方法は、撮像手段によりステレオ画像又はパノラマ画像を取得する際に、撮像された画像を表示する表示手段に撮像ガイドを表示する撮像装置の撮影ガイド表示方法であって、前記表示手段の略中央部の定点を表示する照準マークと、前記撮影手段により撮影される画像内の定位置であって、画面上の撮像装置の移動方向に、前記ステレオ画像又はパノラマ画像に必要な長さを有するガイドマークとを、前記撮影ガイドとして前記表示手段に表示するものである。【００１６】
また、本発明に係る非一時的なコンピュータ可読媒体は、上述した撮像装置の撮影ガイド表示処理をコンピュータに実行させるプログラムを格納するものである。
【発明の効果】
【００１７】
本発明によれば、撮像装置でパノラマ撮影等をする際に撮像装置を安定に移動することができる撮像装置、撮像装置の撮影ガイド表示方法及び非一時的なコンピュータ可読媒体を提供することができる。
【図面の簡単な説明】
【００１８】
【図１】本発明の実施の形態にかかるディジタルカメラを示すブロック図である。
【図２】撮影ガイドの表示例を示す図である。
【図３】本発明の実施の形態にかかるディジタルカメラ１でのスライド撮影によりパノラマ撮影を行う場合の撮影ガイドの使用例を示す図である。
【図４】本発明の実施の形態にかかるディジタルカメラ１でのスライド撮影により３Ｄ（ステレオ）撮影を行う場合の撮影ガイドの使用例を示す図である。
【図５】本発明の実施の形態の変形例であって、携帯電話での使用例を示す図である。
【図６】本発明の実施の形態にかかるディジタルカメラ１の動作を示すフローチャート示す図である。
【図７Ａ】従来の撮像装置におけるパノラマ撮影例を示す図である。
【図７Ｂ】従来の撮像装置におけるパノラマ写真例を示す図である。
【図７Ｃ】従来の撮像装置におけるパノラマ撮影例を示す図である。
【図７Ｄ】従来の撮像装置における視差のついた写真例を示す図である。
【図７Ｅ】従来の撮像装置における視差のついた写真例を示す図である。
【図８Ａ】従来の撮像装置におけるカメラぶれ無しのパノラマ撮影例を示す図である。
【図８Ｂ】従来の撮像装置におけるカメラぶれ無しのパノラマ写真例を示す図である。
【図８Ｃ】従来の撮像装置におけるカメラぶれ有りのパノラマ撮影例を示す図である。
【図８Ｄ】従来の撮像装置におけるカメラぶれ有りのパノラマ写真例を示す図である。
【発明を実施するための形態】
【００１９】
以下、本発明を適用した具体的な実施の形態について、図面を参照しながら詳細に説明する。この実施の形態は、本発明を、ステレオ画像又はパノラマ画像を撮影するディジタルカメラに適用したものである。
【００２０】
本実施の形態においては、ディジタルカメラ等の撮像装置の表示部に、ガイドマークと照準マークとからなる撮影ガイドを表示させ、画面上にスライド方向（移動方向）に伸びるガイドマークに照準マークをあわせてそれらがずれないようにスライド撮影することで、より簡便にスライド撮影を可能とするものである。なお、各撮影画像を合成してパノラマ写真又は３Ｄ（ステレオ）画像を生成する技術については、今日のディジタルカメラで使用されている一般的な自動合成機能を使用すればよい。
【００２１】
すなわち、本実施の形態にかかるディジタルカメラにおいては、特にその装置を移動させて撮影を行う場合に、撮影ミスをより少なくすることができるガイド機能を有するものである。なお、本実施の形態においては、ディジタルカメラとして説明するが、その他、ディジタルカメラ付き携帯電話やディジタルビデオカメラ等のカメラを有する撮像装置であれば、いずれも本願を適用することができることは言うまでもない。
【００２２】
図１は、本発明の実施の形態にかかるディジタルカメラを示すブロック図である。図１に示すように、ディジタルカメラ１は、情報処理部１１、映像センサ（カメラ）部１２、プログラム格納部１３、データ格納部１４、表示部１５、入力部１６、及び通信機能部１７を有する。
【００２３】
情報処理部１１は、ディジタルカメラ１の頭脳的役割を果たす部分である。この部分には、情報処理を行う電子計算機と、計算で扱う情報の一時記録を行うメモリが含まれる。また、情報処理部１１は、撮像部である映像センサ部１２によりステレオ画像又はパノラマ画像を取得する際に、表示部１５に撮像ガイドを表示する処理を行う撮影ガイド生成部１８を有する。この撮影ガイド生成部１８は、上述の撮影品質の低下を阻止すべく、ディジタルカメラ１をスライドして撮影する際に、ユーザに対し、ディジタルカメラ１のブレを抑えることができるように、ディジタルカメラ１の操作に関する撮影ガイドの表示を行う。撮影ガイド生成部１８は、表示部１５の略中央部の定点を表示する照準マークと、映像センサ部１２により撮影される画像内の定位置であって、画面上の撮像装置の移動方向に、ステレオ画像又はパノラマ画像に必要な長さを有するガイドマークとを、撮影ガイドとして表示部１５に表示するものである。撮影ガイドについての詳細は、後述する。
【００２４】
映像センサ部１２は、電子撮像素子やレンズを有するカメラ機能を提供する部分である。情報処理部１１からの指令によりここで撮影されたデジタル写真は、情報処理部１１へ送られる。
【００２５】
プログラム格納部１３は、情報処理部１１の処理手段を格納している部分である。情報処理部１１は、このプログラム格納部１３から処理手順を読み込むことで動作を行う。
【００２６】
データ格納部１４は、情報処理部１１より送られた、撮影されたデジタル画像又はディジタルカメラ１の動作結果が保存される部分である。また、逆に、情報処理部１１からの読み出し指令により、保存されているそれらのデータを情報処理部１１へ提供する。
【００２７】
表示部１５は、ディイスプレイ装置を有し、情報処理部１１より送られてきたデジタル写真や文字、図形などのデータを表示する部分である。入力部１６は、シャッターボタンなどのボタン類やダイヤル、及びタッチパネル等などを有し、ユーザの操作による指令を受け取る部分である。
【００２８】
通信機能部１７は、通常の携帯電話などで具備されている、無線ＮＷへアクセスして音声通話及びデータ通信等を可能とする。なお、ディジタルカメラの機種に応じては、この機能を有していない場合もある。本実施の形態においては、上述の撮影品質の低下を阻止すべく、ディジタルカメラ１をスライドして撮影する際にユーザに対し、ディジタルカメラ１のブレを抑えることができるように、操作に関する撮影ガイドの表示を行う。
【００２９】
図２は、撮影ガイドの表示例を示す図である。モニタ画面２１は、図１の表示部１５に相当する、撮影ファインダ機能を有する表示部である。ここには、ディジタルカメラ１が捉えた被写体がリアルタイムに表示され、合わせて後述のガイドマーク２２及び照準マーク２３が被写体にオーバーラップして表示される。なお、昨今の一般的なディジタルカメラでは、電池残量などの各種ステータスや設定情報を表示しているが、ここでは、既存の技術であることと、及び本願発明の対象外であるため、それらの説明は省略する。
【００３０】
ガイドマーク２２は、モニタ画面２１上に表示される被写体画像にオーバーラップして描画することで表示される撮影ガイド表示である。このガイドマーク２２は、被写体上の（撮影される範囲内の）定点としてその中心に描画する。また、ガイドマーク２２は、メインガイドマーク２２ａとサブガイドマーク２２ｂとからなり、合わせてＨ字状になっている。ここで、メインガイドマーク２２ａの幅でディジタルカメラ１のスライドする範囲を示している。
【００３１】
照準マーク２３は、モニタ画面２１上に表示される被写体画像にオーバーラップして描画することで表示される撮影ガイド表示である。先のガイドマーク２２は、被写体の定点を示していたが、この照準マーク２３は、モニタ画面２１上（撮影ファインダ上）の定点を表示するものであり、その上下の中央位置を示している。ここで、注意すべきは、物理的なモニタ画面２１上（撮影ファインダ上）の上下の中央の定点でなく、モニタ画面２１上（撮影ファインダ上）に表示されている被写体画像の写真となる範囲の上下の中央である。なお、視野角１００％を表示するモニタ画面であればその表示と写真となる範囲は一致する。
【００３２】
ここで、また、サブガイドマーク２２ｂは、メインガイドマーク２２ａとは直交する方向であって、メインガイドマーク２２ａの両端部に表示されるラインで、この幅により、照準マーク２３のズレ幅の許容範囲を示すことができる。なお、ガイドマークは、メインガイドマーク２２ａのみでもよいが、サブガイドマーク２２ｂを有することで、更にユーザのカメラ操作を容易にする。
【００３３】
これらのアイテムを、ファインダとなるモニタ画面へ表示することにより、ディジタルカメラ１を横方向へスライドして撮影する際に、リアルタイムに表示更新される被写体に合わせて画面上をスライド移動するガイドマーク２２上を照準マーク２３でなぞるようにしてディジタルカメラ１を動かすことで、ディジタルカメラ１の上下のブレを視覚的に容易に察知する事が可能となる。
【００３４】
また、逆にディジタルカメラ１のスライド時にブレないようにする場合には、ガイドマーク２２を照準マーク２３でトレースするようにディジタルカメラ１をスライドさせればよく、そもそものブレ防止のためにも有用な施策である。加えて、このガイドマーク２２の水平方向の長さをスライド撮影可能な範囲と合わせておくことで、スライド撮影可能な範囲が視覚的に分かる様になるメリットも生まれる。
【００３５】
次に、図３を用いて、図２に示す撮影ガイドの動作方法について説明する。図３では、ディジタルカメラ１を横方向へスライドしてパノラマ撮影を行う場合の、被写体上の撮影される（写真となる）範囲を示すアングルと、そのアングルを撮影する際のディジタルカメラ１側のモニタ画面の表示の具体的対比を示している。なお、便宜上、撮影ガイド表示、及びディジタルカメラ１に写真として切り取られる範囲（破線部分）を明示している。
【００３６】
アングル３１は、スライド開始時の例である。これに対応するディジタルカメラ１のモニタ画面２１上の表示を、モニタ画面表示３４として合わせて示す。この場合は、まだディジタルカメラ１のブレは発生しておらず、ガイドマーク２２と照準マーク２３の垂直位置が一致している。
【００３７】
この状況から、ディジタルカメラ１を右方向へ横スライドしつつ数枚の撮影を行っていくが、その中間の撮影例として、アングル３２を示す。また、この場合のモニタ画面２１上の表示を、モニタ画面表示３５として示す。なお、このアングル３２は、合わせてディジタルカメラ１が少し下方向へブレた場合の例でもある。
【００３８】
ガイドマーク２２は変わらず被写体の定点であり、また、照準マーク２３はモニタ画面２１上の（撮影ファインダ上の）定点であることから、この場合は相対的にモニタ画面２１に表示される画面が上方向へオフセットされて表示され、ガイドマーク２２と照準マーク２３の垂直位置がずれてしまう。このズレがディジタルカメラ１のブレの視覚化であり、ユーザは品質の高い写真を撮影するために、ディジタルカメラ１の向きを上方向へ修正することが必要だと容易に分ることができる。
【００３９】
アングル３３は、撮影終了時を想定したものである。また、それに対応するモニタ画面は、モニタ画面表示３６となる。この場合、ガイドマーク２２が終点を示しており、照準マーク２３がそれを超えたところで撮影が終了することが視覚的に分る。
【００４０】
また、図４は、本実施の形態にかかるディジタルカメラ１でのスライド撮影により３Ｄ（ステレオ）撮影を行う場合の撮影ガイドの使用例を示す図である。
【００４１】
ディジタルカメラ１をスライドして撮影する手法自体、先に図３で説明したパノラマ撮影と同じであるが、ガイドマーク２２が２Ｄとしての視差を確保するための撮影範囲（カメラをスライドする範囲）となる点が異なる。それ以外の点は、アングル４１がモニタ画面４４、アングル４２がモニタ画面４５、アングル４３がモニタ画面４５に、それぞれ対応する。また、アングル４２についてはディジタルカメラ１が下方向にブレた例である点は、図３のアングル３２で説明した状況と同様である。
【００４２】
なお、本実施の形態においては、ディジタルカメラの操作方法として説明しているが、携帯電話など、他のカメラ機能を持つ器機での利用も可能であることはいうまでもない。図５は、携帯電話のカメラ機能への具体的な応用例を示す図である。この場合、ガイドマーク５２は図２で示したガイドマーク２２に、照準マーク５１は図２で示した照準マーク２３にそれぞれ対応する。撮影フレーム５３は、モニタ画面５４が撮影視野角以上の範囲を表示している（撮影視野角が１００％を超えている）ため、写真として撮影される範囲を示すものである。よって、上述したように、照準マーク５１は、モニタ画面５４の上下の中心でなく、この撮影フレーム５３（写真として撮影される範囲）の上下の中心に位置している。
【００４３】
次に、図３のガイド表示を行う本実施の形態にかかるディジタルカメラ１の動作を、図６に示すフローチャートを使用して説明する。ディジタルカメラ１の起動やモード設定などのトリガにより、ディジタルカメラ１をスライドして撮影するパノラマ撮影が開始されると（ステップＳ６１）、ディジタルカメラ１のモニタ画面に被写体の画像や電池情報や時刻などの基本情報を表示し（ステップＳ６２）、シャッターボタンの押下による撮影開始を待ち続ける（ステップＳ６３）。
【００４４】
また、ステップＳ６２では、撮影ガイドとしてのガイドマーク２２と照準マーク２３もあわせて描画する。この際、ガイドマークについては、撮影対象がまだ未確定のため、本来の被写体の定点でなく、照準マーク同様にモニタ画面（撮影ファインダー）上の定点として描画する。
【００４５】
次に、シャッターボタンが押されたことを検知すると（ステップＳ６３：Ｙｅｓ）、ディジタルカメラ１のスライド範囲の始点（複数枚の写真をつなげて撮影する場合の最初の写真）を確定し（ステップＳ６４）、撮影を開始する（ステップＳ６５）。なお、この撮影自体はディジタルカメラ１が自動的に行ってもよいし、撮影者の意思によって意図的に行わせてもよいが、自動的に行うことが好ましい。
【００４６】
ステップＳ６５では、また、モニタ画面（撮影ファインダ）上にリアルタイムに更新される被写体の映像に、撮影ガイド（照準マーク２３とガイドマーク２２）を描画する。この画面では、照準マーク２３をモニタ画面（撮影ファインダ）の定点として、また、ガイドマーク２３は被写体上の定点として描画する。ガイドマーク２２を被写体上の定点として描画するには、被写体の特徴を捉え続け、それを基準点としてガイドマーク２３の描画位置を固定する技術が必要であるが、これは今日、顔検出ＡＦ機能や物体認識ＡＦ機能で一般的なディジタルカメラには具備されている機能の応用であり、ここでは詳細な説明は省略する。
【００４７】
ここでカメラ撮影された画像は一時データとして蓄えられる。そして、蓄えられていた直近の撮影データと、それまでに結合したパノラマ写真の中間データ（一時データ）を比較し、合成してパノラマ写真データの中間データを更新する作業を行う（ステップＳ６６）。次に、パノラマ写真の中間データが規定のサイズに達したか否かを判定し（ステップＳ６７）、達していれば、スライド撮影を終了すべくステップＳ６８に進む。達していなければ、新たな画像を取得するため、ステップＳ６５へ戻る。ステップＳ６８では、生成されたパノラマ写真をファイルとして保存するためにヘッダ情報等の付加などを行い、画像ファイルとして保存する作業を行い、一連のパノラマ写真撮影を終了する。
【００４８】
以上説明したように、本実施の形態においては、以下に示す効果を奏する。先ず、第１の効果としては、被写体とカメラファインダのそれぞれに同期するガイド表示により、被写体に対してディジタルカメラ１をスライドさせる場合に、ブレを視覚的に認知することができる。また、第２の効果としては、被写体とカメラファインダのそれぞれに同期するガイド表示により、ディジタルカメラ１のブレを容易に修正することができる。そして、第３の効果としては、撮影部により撮影される画像内の定位置であって、画面上の撮像装置の移動方向（スライド方向）に、ステレオ画像又はパノラマ画像に必要な長さを有するガイドマークを表示したので、ユーザがガイドマークを追従しやすいことにある。
【００４９】
なお、本発明は上述した実施の形態のみに限定されるものではなく、本発明の要旨を逸脱しない範囲において種々の変更が可能であることは勿論である。例えば、基本的構成は上述したように、横方向へディジタルカメラ１をスライドする撮影であるが、ガイドラインと照準マークの組み合わせとしては、縦方向へのスライドでも同様にスライド方向へガイドラインを引き、照準マークのデザインを変更することで同様の効果を奏する。
【００５０】
また、ガイドマーク２２や照準マーク２３は、それらの役割（トレースされるマークとトレースするマーク）を満たすのであれば、形状にはこだわらない。例えば、ガイドマーク２２は、ステレオ画像又はパノラマ画像に必要な長さの複数本のラインからなってもよく、例えば、ガイドマーク２２を"＝"とし、２本のラインの間に、照準マーク２３を通すような形としてもよい。この場合、２本の間隔を許容できるブレの幅とするなどとすると、ブレ防止に更に有効である。また、ガイドマークを"＋"などにしてスライド撮影中に中間位置が分りやすいようにする、あるいは上下方向へも対応できるようにする等することも可能である。さらには、スライドすべき方向の適当なガイド位置に目印を付けることで、どの程度の幅が撮影されたかをユーザが認識できるようにすることも可能である。例えば、中間に目印を等間隔に３つ付ければ、２５％、５０％、７５％の位置を認識することができる。
【００５１】
加えて、これらガイドマーク２２や照準マーク２３に関する補助情報を、追加表示するようにしてもよい。補助情報としては、スライド撮影の進捗率や、ブレた場合の警告などが挙げられる。また、撮影中の中間データの保存量なども可能である。もちろん、これらは、追加表示だけでなく、ガイドマーク２２や照準マーク２３の形状や色の変更で示すことも可能であるし、音などで撮影者へ知らせることも可能である。
【００５２】
さらに、横や縦のスライドだけでなく、ガイドマークを"□"にすることで、上下左右の広い範囲のスライド撮影で利用することや、同様に"○"や"Ｚ"などの形状を持ったガイドマークで様々なスライド撮影の方向を示すことで撮影を補助するようにしてもよい。
【００５３】
また、上述の撮影ガイド生成処理は、例えば、ＣＰＵ（Central Processing Unit）にコンピュータプログラムを実行させることにより実現することが可能であるが、この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５４】
この出願は、２０１１年３月３０日に出願された日本出願特願２０１１−０７４３２０を基礎とする優先権を主張し、その開示の全てをここに取り込む。
【符号の説明】
【００５５】
１  ディジタルカメラ
１１  情報処理部
１２  映像センサ部
１３  プログラム格納部
１４  データ格納部
１５  表示部
１６  入力部
１７  通信機能部
１８  撮影ガイド生成部
２２  ガイドマーク
２２ａ  メインガイドマーク
２２ｂ  サブガイドマーク
２３  照準マーク
【図１】
2012132204.tif 000003
【図２】
2012132204.tif 000004
【図３】
2012132204.tif 000005
【図４】
2012132204.tif 000006
【図５】
2012132204.tif 000007
【図６】
2012132204.tif 000008
【図７Ａ】
2012132204.tif 000009
【図７Ｂ】
2012132204.tif 000010
【図７Ｃ】
2012132204.tif 000011
【図７Ｄ】
2012132204.tif 000012
【図７Ｅ】
2012132204.tif 000013
【図８Ａ】
2012132204.tif 000014
【図８Ｂ】
2012132204.tif 000015
【図８Ｃ】
2012132204.tif 000016
【図８Ｄ】
2012132204.tif 000017
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段で撮像された画像を表示する表示手段と、
前記撮像手段によりステレオ画像又はパノラマ画像を取得する際に、前記表示手段に撮影ガイドを表示する撮影ガイド生成手段と、を有し、
前記撮影ガイド生成手段は、前記表示手段の略中央部の定点を表示する照準マークと、前記撮像手段により撮影される画像内の定位置であって、画面上の撮像装置の移動方向に、前記ステレオ画像又はパノラマ画像に必要な長さを有するガイドマークとを、前記撮影ガイドとして前記表示手段に表示する、撮像装置。
【請求項２】
前記ガイドマークは、前記ガイドマークに対して直交する方向に長さを有するサブガイドマークを有する、請求項１記載の撮像装置。
【請求項３】
前記サブガイドマークは、前記ガイドマークの両端部にあり、合わせてＨ字型形状を有する、請求項２記載の撮像装置。
【請求項４】
前記ガイドマークは、前記ステレオ画像又はパノラマ画像に必要な長さの複数本のラインからなる、請求項１記載の撮像装置。
【請求項５】
撮像手段によりステレオ画像又はパノラマ画像を取得する際に、撮像された画像を表示する表示手段に撮影ガイドを表示する撮像装置の撮影ガイド表示方法であって、
前記表示手段の略中央部の定点を表示する照準マークと、前記撮像手段により撮影される画像内の定位置であって、画面上の撮像装置の移動方向に、前記ステレオ画像又はパノラマ画像に必要な長さを有するガイドマークとを、前記撮影ガイドとして前記表示手段に表示する、撮像装置の撮影ガイド表示方法。
【請求項６】
前記ガイドマークは、撮影開始地点から水平方向左側に画面を移動させて撮影する場合はその左側端部が、水平方向右側に画面を移動させて撮影する場合はその右側端部が当該撮影開始地点では画面上に表示されず、移動完了後の画面上に表示される、請求項５記載の撮像装置の撮影ガイド表示方法。
【請求項７】
ユーザが前記撮影ガイドを使用中にその使用方法に対する補助情報を表示又は音声で通知する、請求項５又は６記載の撮像装置の撮影ガイド表示方法。
【請求項８】
補助情報として撮影中の中間データの保存量を表示又は通知する、請求項５又は６記載の撮像装置の撮影ガイド表示方法。
【請求項９】
前記撮影ガイドの形状及び／又は色を撮影開始後乃至撮影終了の間に変更することで、当該撮影ガイドの使用方法及び／又は撮影中の中間データの保存量に関する補助情報をユーザに通知する、請求項５又は６記載の撮像装置の撮影ガイド表示方法。
【請求項１０】
撮像手段によりステレオ画像又はパノラマ画像を取得する際に、撮像された画像を表示する表示手段に撮影ガイドを表示する処理をコンピュータに実行させるためのプログラムであって、
前記表示手段の略中央部の定点を表示する照準マークと、前記撮像手段により撮影される画像内の定位置であって、画面上の撮像装置の移動方向に、前記ステレオ画像又はパノラマ画像に必要な長さを有するガイドマークとを、前記撮影ガイドとして前記表示手段に表示する処理をコンピュータに実行させるプログラム。
【手続補正３】
【補正対象書類名】明細書
【補正対象項目名】０００１
【補正方法】変更
【補正の内容】
【０００１】
本発明は、ディジタルカメラ等のカメラ機能を有する撮像装置、撮像装置の撮影ガイド表示方法及びプログラムに関し、特に、ユーザの操作性の向上を図った撮像装置、撮像装置の撮影ガイド表示方法及びプログラムに関する。
【手続補正４】
【補正対象書類名】明細書
【補正対象項目名】００１３
【補正方法】変更
【補正の内容】
【００１３】
本発明は、このような問題点を解決するためになされたものであり、撮像装置でパノラマ撮影等をする際に撮像装置を安定に移動することができる撮像装置、撮像装置の撮影ガイド表示方法及びプログラムを提供することを目的とする。
【手続補正５】
【補正対象書類名】明細書
【補正対象項目名】００１６
【補正方法】変更
【補正の内容】
【００１６】
また、本発明に係るプログラムは、上述した撮像装置の撮影ガイド表示処理をコンピュータに実行させるものである。
【手続補正６】
【補正対象書類名】明細書
【補正対象項目名】００１７
【補正方法】変更
【補正の内容】
【００１７】
本発明によれば、撮像装置でパノラマ撮影等をする際に撮像装置を安定に移動することができる撮像装置、撮像装置の撮影ガイド表示方法及びプログラムを提供することができる。
【国際調査報告】
2012132204.tif 000018
2012132204.tif 000019
2012132204.tif 000020
2012132204.tif 000021
2012132204.tif 000022
2012132204.tif 000023